(57)【特許請求の範囲】
【請求項１】
導電性を有する金属薄板をプレス加工することにより形成されており細長いタブ状に形成されコネクタの雌端子に挿し込まれて電気的な接続がなされるようになっている電気接触部と、該電気接触部に連成され箱状に形成されている係止部と、該係止部に連成され上方が解放される断面視略コ字状に形成されており、圧接部と一対のかしめ片とを備えて構成され、圧接部には、相対向する一対の圧接刃が端子の長手方向に複数個形成されかしめ時に一対の圧接刃が電線の被覆を切り込む電線接続部と、を備えて構成する端子と，
コネクタの形態に応じて、そのコネクタのハウジングを収容することが可能なフード状に形成されてコネクタに対する接続部分となるフード部と，
前記端子の電線接続部を露出させ溝状に形成される解放部を有し前記フード部側に前記端子の電気接触部をフード部内に突出させる貫通孔と隣接する前記解放部間にあってフード部側に形成される突起とが軸方向に沿って平行に形成されている端子収容室と、前記端子収容室の解放部が形成されていない部分の上面に形成されるスライド面と、前記端子収容部の両側部にそれぞれ形成され軸方向に沿って平行にフード部の外周面に連続するように形成されているスライドレールと、端子収容部の端部側両側部に形成されテーパ面と、軸の方向に配置される一対の位置決め面とを有する被係合部とからなる端子収容部と，
を備えて構成するコネクタハウジングと，
前記端子収容部に係合する正面視略コ字状の部材であって、前記コネクタハウジングと同様に絶縁性を有する合成樹脂によって成形されており，
前記端子収容部の突起を収容するための案内突起収容部と、前記案内突起収容部を挟んだ両側に配置され前記端子の圧接部に係入することが可能なリブ状に形成され圧接接続された電線の中間を押下することができるように形成されている電線押さえ部とを有し、前記各端子収容室の解放部に対面する下面と、前記端子収容部のスライド面側となる端部に軸線に沿って内方へ切り欠く一対の凹部が形成され、該凹部よりも外側に一対の本係止突起が形成され、平坦に形成されている上面と、からなる天井板と，
前記被係合部に係合し、該被係合部のテーパ面に当接する部分が曲面状に形成されているする係合部がそれぞれ内側に向けて形成されており、先端に前記端子収容部のスライドレールに連続するスライドレールが外側に向けて突出形成され、前記天井板の両端部に形成される一対の側片と，
を備えて構成するリアホルダーと，
前記リアホルダーに係合する正面視略コ字状の部材であって、前記端子収容部のスライドレールと前記リアホルダーのスライドレールとに対してスライド自在に取り付けられるとともに前記上面に沿って配索された前記電線の中間の配索状態を保持する電線カバーと，
を備えたことを特徴とする圧接ジョイントコネクタ。
【発明の詳細な説明】
【０００１  】
【発明の属する技術分野】
本発明は、ワイヤハーネスを構成する電線の中間のジョイントを可能にするため、そのワイヤハーネスに設けられる圧接ジョイントコネクタに関する。
【０００２  】
【従来の技術】
この種のものとしては、実開平６−５４２４５号公報に開示された圧接ジョイントコネクタが一般的に知られている。その開示された圧接ジョイントコネクタについて簡単に説明すると、図１６に示される如く、コネクタケース１と端子２と蓋３とを備えて構成されており、コネクタケース１に挿入した端子２に電線４の中間を圧接（図１７参照）してその上から蓋３を装着するようにして形成されている。
【０００３  】
コネクタケース１は、フード部５と端子保持部６とを備えており、その内部には、端子２に対する筒部７が形成されている。また、筒部７には、端子保持部６の後部側上方に開口する開口８が形成されている。このような、筒部７に挿入される端子２は、雄形嵌合部９と圧接部１０とを備えており、その圧接部１０には、既知構成の圧接スロット１１（図１７参照）が形成されている。一方、端子２に電線４の中間を圧接した後にコネクタケース１に装着される蓋３は、天井板１２と側辺１３と備えて構成されている。その天井板１２の上面には、クランプ１４が形成されている。また、天井板１２の下面には、筒部７内に向けて突出する押下突起１５が形成されている。さらに、側辺１３には、内側に向けて突出する係合突起１６が形成されている。尚、コネクタケース１には、係合突起１６が係合する凹部１７が形成されている。
【０００４  】
上記構成において、上記公報に開示された圧接ジョイントコネクタは以下のようにして組み付けられる。
【０００５  】
先ず第一に、筒部７内に端子２を挿入する。これにより、端子２は筒部７に保持され、圧接部１０が開口８の位置に配置される。続いて第二に、圧接しようとする電線４の中間をコネクタケース１の上面に沿わせ、開口８の位置にある電線４をその開口８を介して圧接スロット１１内に挿入、圧接する（図１７参照）。最後に、蓋３を所定の位置に装着する。この時、側辺１３がコネクタケース１の側面によって押し広げられる。そして、そのままの状態で蓋３が押し込まれると、押下突起１５が圧接スロット１１に圧接された電線４に当接するとともに、係合突起１６が凹部１７に係合して一連の組み付けが完了する。
【０００６  】
【発明が解決しようとする課題】
ところで上記従来の圧接ジョイントコネクタにあっては、そのジョイントの際に、電線４の中間がコネクタケース１の上面に沿うように配索される構造を有していた。しかしながら、上記の状態から電線４を例えば１８０°屈曲させて使用する場合には、その屈曲させた部分等の作用によって、圧接部１０に引き抜き方向の力が掛かりやすくなることから、圧接した部分の接続に係る信頼性が十分に保てるかどうか懸念されていた。また、電線４が引っ張られた場合でも圧接部１０に引き抜き方向の力が掛かりやすくなることから、同様に接続に係る信頼性が懸念されていた。
【０００７  】
本発明は、上述した事情に鑑みてなされるもので、電線により受ける力を圧接部分に伝えないようにして接続に係る信頼性を向上させた圧接ジョイントコネクタを提供することを課題とする。
【０００８】
【課題を解決するための手段】
上記課題を解決するためなされた請求項１記載の本発明の圧接ジョイントコネクタは、導電性を有する金属薄板をプレス加工することにより形成されており細長いタブ状に形成されコネクタの雌端子に挿し込まれて電気的な接続がなされるようになっている電気接触部と、該電気接触部に連成され箱状に形成されている係止部と、該係止部に連成され上方が解放される断面視略コ字状に形成されており、圧接部と一対のかしめ片とを備えて構成され、圧接部には、相対向する一対の圧接刃が端子の長手方向に複数個形成されかしめ時に一対の圧接刃が電線の被覆を切り込む電線接続部と、を備えて構成する端子と，
コネクタの形態に応じて、そのコネクタのハウジングを収容することが可能なフード状に形成されてコネクタに対する接続部分となるフード部と，
前記端子の電線接続部を露出させ溝状に形成される解放部を有し前記フード部側に前記端子の電気接触部をフード部内に突出させる貫通孔と隣接する前記解放部間にあってフード部側に形成される突起とが軸方向に沿って平行に形成されている端子収容室と、前記端子収容室の解放部が形成されていない部分の上面に形成されるスライド面と、前記端子収容部の両側部にそれぞれ形成され軸方向に沿って平行にフード部の外周面に連続するように形成されているスライドレールと、端子収容部の端部側両側部に形成されテーパ面と、軸の方向に配置される一対の位置決め面とを有する被係合部とからなる端子収容部と，
を備えて構成するコネクタハウジングと，
前記端子収容部に係合する正面視略コ字状の部材であって、前記コネクタハウジングと同様に絶縁性を有する合成樹脂によって成形されており，
前記端子収容部の突起を収容するための案内突起収容部と、前記案内突起収容部を挟んだ両側に配置され前記端子の圧接部に係入することが可能なリブ状に形成され圧接接続された電線の中間を押下することができるように形成されている電線押さえ部とを有し、前記各端子収容室の解放部に対面する下面と、前記端子収容部のスライド面側となる端部に軸線に沿って内方へ切り欠く一対の凹部が形成され、該凹部よりも外側に一対の本係止突起が形成され、平坦に形成されている上面と、からなる天井板と，
前記被係合部に係合し、該被係合部のテーパ面に当接する部分が曲面状に形成されているする係合部がそれぞれ内側に向けて形成されており、先端に前記端子収容部のスライドレールに連続するスライドレールが外側に向けて突出形成され、前記天井板の両端部に形成される一対の側片と，
を備えて構成するリアホルダーと，
前記リアホルダーに係合する正面視略コ字状の部材であって、前記端子収容部のスライドレールと前記リアホルダーのスライドレールとに対してスライド自在に取り付けられるとともに前記上面に沿って配索された前記電線の中間の配索状態を保持する電線カバーと，
を備えて構成したことを特徴としている。
【００１４  】
請求項１に記載された本発明によれば、端子とコネクタハウジングとリアホルダーと電線カバーとを備えて圧接ジョイントコネクタが構成される。そして、このような構成おいて、端子は、コネクタハウジングの端子収容室に収容、保持される。また、リアホルダーは、係合部を介してコネクタハウジングに係合しその係合状態が保持される。さらに、電線カバーは、リアホルダー又はコネクタハウジングの少なくとも一方に対してスライド自在に取り付けられる。
電線は、その中間が端子の電線接続部に圧接されると、リアホルダーの圧接状態保持部によって圧接状態が保持される。また、電線は、リアホルダーの反転部分引き出し部から引き出され外面部に沿わせられた後に、スライド移動してきた電線カバーによって保持される。
【００２０  】
【発明の実施の形態】
以下、図面を参照して本発明の実施の形態を説明する。
図１は本発明の圧接ジョイントコネクタの一実施の形態を示す斜視図（一部断面を含む）である。
【００２１  】
図１において、引用符号２１はワイヤハーネスを構成する電線２２の中間のジョイントを可能にするため、そのワイヤハーネスに設けられた圧接ジョイントコネクタを示している。その圧接ジョイントコネクタ２１は、上記電線２２の中間を圧接接続する二つの端子２３と、二つの端子２３を収容するコネクタハウジング２４と、コネクタハウジング２４に係合し電線２２の中間の圧接接続された部分（圧接部分）を保持するリアホルダー２５と、コネクタハウジング２４とリアホルダー２５との間から引き出され１８０°反転させられた電線２２の中間（反転側）を保持する電線カバー２６とを備えて構成されている（端子２３の数は二つに限られないものとする。一又は三以上でもよいものとする）。
【００２２  】
先ず、上記各構成部材について詳細に説明する。
尚、図２は上記端子に関する図、図３及び図４は上記コネクタハウジングに関する図、図５ないし図９は上記リアホルダーに関する図、図１０ないし図１２は上記電線カバーに関する図である。
【００２３  】
上記端子２３は、図２に示される如く、導電性を有する金属薄板をプレス加工することにより形成されており、電気接触部２７と、その電気接触部２７に連成される係止部２８と、係止部２８に連成される電線接触部２９とを備えて構成されている。
【００２４  】
電気接触部２７は、例えば細長いタブ状に形成されており、接続相手となる図示しないコネクタの雌端子に挿し込まれて電気的な接続がなされるようになっている。
【００２５  】
係止部２８は、折り曲げによって略箱状に形成されている。また、電気接触部２７との連続部分は、先細りするようにテーパ面を有して形成されている。係止部２８の上面には、コネクタハウジング２４（図１参照）に係止されるランス３０が形成されている。そのランス３０は、既知のものと同じであり可撓性を有している。
【００２６  】
電線接続部２９は、折り曲げによって、上方が解放される断面視略コ字状に形成されており、圧接部３１と一対のかしめ片３２、３２とを備えて構成されている。圧接部３１には、相対向する一対の圧接刃３３、３３が端子２３の長手方向に複数個（本形態においては三つ）形成されている。その一対の圧接刃３３、３３は、電線２２（図１参照）の被覆を切り込むことができるように形成されている。かしめ片３２、３２は、舌片状に形成されており、かしめられることによって電線２２（図１参照）の被覆外周を圧縮し保持することができるようになっている。
【００２７  】
上記コネクタハウジング２４は、絶縁性を有する合成樹脂によって成形されており、図３及び図４に示される如く、上記接続相手となる図示しないコネクタに対する接続部分となるフード部３４と、そのフード部３４に連成される端子収容部３５とを備えて構成されている。フード部３４は、上記接続相手となる図示しないコネクタの形態に応じて、そのコネクタのハウジングを収容することが可能なフード状に形成されている。
【００２８  】
端子収容部３５は、二つの端子２３（図１参照）をそれぞれ収容する区画された二つの端子収容室３６、３６と、電線カバー２６（図１参照）に対するスライド面３７及び一対のスライドレール３８、３８（一方のみ図示。以下同様）と、リアホルダー２５（図１参照）に対する一対の被係合部３９、３９（一方のみ図示。以下同様）とを備えて構成されている。
【００２９  】
端子収容室３６は、コネクタハウジング２４の軸に沿って平行に形成されている。また、端子収容室３６は、端子２３（図１参照）の電線接続部２９（図２参照）を露出させる解放部４０を有しており、その部分のみが溝状に形成されている。さらに、端子収容室３６のフード部３４側には、端子２３（図１参照）の電気接触部２７（図２参照）をフード部３４内に突出させる貫通孔４１と、端子２３（図１参照）のランス３０（図２参照）を引っ掛ける段部４２とが形成されている。尚、端子収容室３６の解放部４０と、その隣の端子収容室３６の解放部４０との間にあってフード部３４側には、リアホルダー２５（図１参照）に対する案内用の突起４３が形成されている。また、解放部４０は、端子２３（図１参照）の挿入側から連続するように形成されている。
【００３０  】
スライド面３７は、端子収容部３５の上部に形成されている。言い換えれば、端子収容室３６の解放部４０が形成されていない部分の上面がスライド面３７として形成されている。そのスライド面３７には、電線カバー２６（図１参照）のスライド移動を規制する仮係止突起４４が形成されている。仮係止突起４４は、二つのテーパ面を有する略三角形の爪状に形成されている。また、仮係止突起４４は、電線カバー２６（図１参照）のスライド移動に係る操作性を阻害しないように（組み付け及び電線保持の際のスライド移動に係る操作性を阻害しないように）、なるべく低く突出形成されている。尚、仮係止突起４４をリアホルダー２５側に形成して上述と同様に機能させることも可能である。
【００３１  】
スライドレール３８、３８は、端子収容部３５の両側部にそれぞれ形成されている。また、スライドレール３８、３８は、コネクタハウジング２４の軸に沿って平行に形成されている。さらに、スライドレール３８、３８は、フード部３４の外周面に連続するように形成されている。
【００３２  】
被係合部３９、３９は、端子収容部３５の両側部にそれぞれ形成されている。また、被係合部３９、３９は、端子収容部３５室の端部側（フード部３４の反対側）に形成されている。さらに、被係合部３９、３９は、リアホルダー２５（図１参照）をスムーズに係合させるためのテーパ面４５、４５（一方のみ図示。以下同様）と、上記軸の方向に配置される各一対の位置決め面４６、４６とを有している。
【００３３  】
上記リアホルダー２５は、端子収容部３５（図３参照）に係合する正面視略コ字状の部材であって、コネクタハウジング２４と同様に絶縁性を有する合成樹脂によって成形されており、図５ないし図９に示される如く、天井板４７と、その天井板４７の両端部に形成される一対の側片４８、４８とを備えて構成されている。
【００３４  】
天井板４７は、各端子収容室３６（図３参照）の解放部４０（図３参照）に対面する下面４９と、電線カバー２６（図１参照）に対面する上面５０とを有する平面視略矩形状に形成されている。また、端子収容部３５（図３参照）のスライド面３７（図３参照）側となる端部には、その端部からリアホルダー２５の軸線に沿って内方へ切り欠き形成された一対の凹部５１、５１が形成されている。
【００３５  】
尚、下面４９は特許請求の範囲に記載した圧接状態保持部に相当するものとする。また、上面５０は特許請求の範囲に記載した外面部に相当するものとする。さらに、凹部５１は特許請求の範囲に記載した反転部分引き出し部に相当するものとする。
【００３６  】
下面４９には、端子収容部３５（図３参照）の突起４３（図３参照）を収容するための案内突起収容部５２と、その案内突起収容部５２を挟んだ両側に配置される一対の電線押さえ部５３、５３とが形成されている。
【００３７  】
電線押さえ部５３は、端子２３（図２参照）の圧接部３１（図２参照）に係入することが可能なリブ状に形成されている。また、電線押さえ部５３は、圧接接続された電線２２の中間を押下することができるように形成されている。さらに、電線押さえ部５３は、三つ並んだ各一対の圧接刃３３、３３の配置形成される範囲の長さよりも長く形成されている。
【００３８  】
上面５０は、平坦に形成されている。また、上面５０における凹部５１、５１よりも外側には、電線カバー２６（図１参照）のスライド移動を規制する各一対の本係止突起５４、５４が形成されている。その本係止突起５４、５４は、上記軸の方向に所定の間隔を有して形成されており、電線カバー２６（図１参照）を係止した後にはその移動を確実に阻止するようになっている。尚、厚みが厚くなってしまうことになるが、上面５０を平坦に形成するとともに、電線２２（図１参照）の外形に応じた窪みを形成して対応することも可能である。
【００３９  】
側片４８、４８は、可撓性を有しており、リアホルダー２５を端子収容部３５（図３参照）に係合させた際に、その端子収容部３５（図３参照）の上記両側部にそれぞれ対向するように配置形成されている。また、側片４８、４８の先端には、被係合部３９、３９（図３参照）に係合する係合部５５、５５がそれぞれ内側に向けて形成されている。さらに、側片４８、４８の外面には、端子収容部３５（図３参照）のスライドレール３８、３８（図３参照）に連続するスライドレール５６、５６が外側に向けて突出形成されている。尚、コネクタハウジング２４のスライドレール３８、３８のみで対応させることも可能である。
【００４０  】
係合部５５、５５は、被係合部３９、３９（図３参照）のテーパ面４５、４５（図３参照）に当接する部分が曲面状（テーパ面でもよい）に形成されている。また、係合部５５、５５は、被係合部３９、３９（図３参照）の位置決め面４６、４６（図３参照）間に係入することができる長さを有して形成されている。スライドレール５６、５６は、少なくとも電線カバー２６（図１参照）を本係止するために必要な長さを有して形成されている。
【００４１  】
上記電線カバー２６は、リアホルダー２５（図５参照）に係合する正面視略コ字状の部材であって、合成樹脂による成形によって形成されており、図１０ないし図１２に示される如く、天井板５７と、その天井板５７の両端部に形成される一対の側片５８、５８とを備えて構成されている。また、電線カバー２６は、端子収容部３５（図３参照）のスライドレール３８、３８（図３参照）とリアホルダー２５（図５参照）のスライドレール５６、５６（図７参照）とに対してスライド自在に取り付けられるように形成されている。
【００４２  】
天井板５７は、リアホルダー２５（図５参照）の上面５０（図５参照）に対面する下面５９と、その下面５９の反対側に位置する上面６０とを有する平面視略矩形状（長方形状：スライド方向が短くなるように形成される）に形成されている。尚、上面６０は、平坦な面となるように形成されている。
【００４３  】
下面５９には、仮係止部６１と一対の電線収容溝６２、６２と一対の本係止部６３、６３とが形成されている。仮係止部６１は、下面５９の中央に形成されている。また、仮係止部６１は、コネクタハウジング２４（図３参照）の仮係止突起４４（図３参照）に当接するとともにこれを乗り越えることができるように形成されている。電線収容溝６２は、電線２２（図１参照）の外形に合わせて窪むように形成されており、コネクタハウジング２４（図３参照）のフード部３４（図３参照）側には、溝の深さが浅くなるような凸部６４が形成されている。その凸部６４は、電線２２（図１参照）の後述する反転部分が当接するようになっている。
【００４４  】
側片５８、５８には、端子収容部３５（図３参照）のスライドレール３８、３８（図３参照）及びリアホルダー２５（図５参照）のスライドレール５６、５６（図７参照）をスライドする略凹状のスライドガイド６５、６５がそれぞれ形成されている。
【００４５  】
次に、上記構成に基づいて圧接ジョイントコネクタ２１の組み付け及び作用を説明する（説明を簡素化させるために圧接接続される電線２２を一本に省略する）。
尚、図１３は電線２２の中間を圧接する前の状態の斜視図、図１４は電線カバー２６をスライドさせる前の状態の斜視図、図１５は電線カバー２６をスライドさせた後の状態の斜視図である。
【００４６  】
図１３において、先ず、端子２３をコネクタハウジング２４の各端子収容室３６内に収容する。この時、端子２３のランス３０が一旦撓んだ後に復元して段部４２に引っかかることから、端子２３は端子収容室３６内に係止され保持される。また、端子２３は、その電線接続部２９が解放部４０から露出するように収容、保持される。さらに、端子２３は、電気接触部２７（図２参照）がフード部３４内に突出するように収容、保持される。
【００４７  】
次に、電線カバー２６をコネクタハウジング２４に取り付ける。この時、電線カバー２６は、端子２３の挿入方向と同じ方向に移動させられて取り付けられる。尚、その移動は、電線カバー２６のスライドガイド６５、６５とコネクタハウジング２４のスライドレール３８、３８とによって行われる。そして、電線カバー２６は、仮係止部６１が仮係止突起４４を乗り越えるまで上記方向に移動させられる。仮係止部６１が仮係止突起４４を乗り越えると電線カバー２６の上記とは反対方向の移動が規制される。
【００４８  】
続いて、電線２２の中間を端子２３の圧接部３１に圧接する。この時、電線２２の中間は、Ｌ字状に屈曲させられた状態で圧接部３１の圧接刃３３、３３に圧接される。また、電線２２の中間の被覆は、かしめ片３２、３２のかしめにより保持される。
【００４９  】
続いてさらに、図１４に示される如く、電線２２の中間を凹部５１から引き出しながらリアホルダー２５をコネクタハウジング２４の端子収容部３５に係合させる。また、引き出した電線２２の中間（反転側）を１８０°反転させるとともに、これをリアホルダー２５の上面５０に沿うように配索する。この時、電線２２の圧接部分がリアホルダー２５の電線押さえ部５３によって押さえ込まれる。言い換えれば、電線２２の圧接部分がリアホルダー２５の下面４９（図７参照）によって保持される。尚、電線押さえ部５３は、圧接刃３３（図２参照）の配置形成される範囲よりも長い範囲で電線２２の圧接部分を押さえ込んでいる。
【００５０  】
最後に、図１５（又は図１）に示される如く、電線カバー２６をリアホルダー２５側に移動させ、その電線カバー２６をリアホルダー２５に本係止して一連の組み付けを完了させる。この時、リアホルダー２５の上面５０に配索された電線２２の反転側が電線カバー２６の電線収容溝６２に収容されて保持される。また、電線２２の反転側がその電線収容溝６２の凸部６４に当接し押さえつけられる。尚、リアホルダー２５の本係止突起５４、５４間に電線カバー２６の本係止部６３（図１２参照）が位置すると、電線カバー２６が本係止される。電線カバー２６の移動は、スライドガイド６５、６５（図１１参照）とリアホルダー２５のスライドレール５６、５６（図７参照）とにより行われる。
【００５１  】
以上、図１ないし図１５までを参照しながら説明してきたように、端子２３の電線接続部２９に圧接した電線２２の中間を、コネクタハウジング２４に係合させたリアホルダー２５によって保持することができる。また、配索方向を１８０°反転させた側の電線２２の中間を電線カバー２６によって保持することができる。従って、端子２３とコネクタハウジング２４とリアホルダー２５と電線カバー２６とを備えて構成した圧接ジョイントコネクタ２１は、電線２２により受ける力を圧接部分に伝えないようにすることができる。これにより、接続に係る信頼性を向上させることができる。
【００５２  】
また、圧接ジョイントコネクタ２１は、次のような効果も奏する。すなわち、圧接刃３３、３３の配置形成される範囲よりも長さが長くなる電線押さえ部５３によって圧接状態を確実に保持することができる。また、電線カバー２６の凸部６４によって圧接部分への力の伝達を阻止し確実に圧接状態を保持することができる。さらに、端子２３のかしめ片３２、３２によって圧接部分への力の伝達を阻止し確実に圧接状態を保持することができる。従って、これらのことから、接続に係る信頼性を一層向上させることができる。その他、本発明は本発明の主旨を変えない範囲で種々変更実施可能なことは勿論である。
【００５３  】
【発明の効果】
以上説明したように、請求項１に記載された本発明によれば、端子の電線接続部に圧接した電線の中間を、コネクタハウジングに係合させたリアホルダーによって保持することができるとともに、電線の中間の反転させた側を電線カバーによって保持することができる。従って、端子とコネクタハウジングとリアホルダーと電線カバーとを備えて圧接ジョイントコネクタを構成することで、電線により受ける力を圧接部分に伝えないようにし、接続に係る信頼性を向上させることができる。
【図面の簡単な説明】
【図１】本発明による圧接ジョイントコネクタの一実施の形態を示す斜視図（一部断面を含む）である。
【図２】図１の端子の斜視図である。
【図３】図１のコネクタハウジングの斜視図である。
【図４】図１のコネクタハウジングの断面図である。
【図５】図１のリアホルダーの斜視図（一部断面を含む）である。
【図６】図１のリアホルダーの平面図である。
【図７】図１のリアホルダーの正面図である。
【図８】図７のＡ−Ａ線断面図である。
【図９】図１のリアホルダーの右側面図である。
【図１０】図１の電線カバーの斜視図（一部断面を含む）である。
【図１１】図１の電線カバーの正面図である。
【図１２】図１１のＢ−Ｂ線断面図である。
【図１３】電線の中間を圧接する前の状態の斜視図（一部断面を含む）である。
【図１４】電線カバーをスライドさせる前の状態の斜視図（一部断面を含む）である。
【図１５】電線カバーをスライドさせた後の状態の斜視図（一部断面を含む）である。
【図１６】従来例の圧接ジョイントコネクタの断面図である。
【図１７】図１６の従来例の圧接ジョイントコネクタの斜視図である。
【符号の説明】
２１  圧接ジョイントコネクタ
２２  電線
２３  端子
２４  コネクタハウジング
２５  リアホルダー
２６  電線カバー
２７  電気接触部
２８  係止部
２９  電線接続部
３０  ランス
３１  圧接部
３２  かしめ片
３３  圧接刃
３４  フード部
３５  端子収容部
３６  端子収容室
３７  スライド面
３８  スライドレール
３９  被係合部
４０  解放部
４１  貫通孔
４２  段部
４３  突起
４４  仮係止突起
４５  テーパ面
４６  位置決め面
４７  天井板
４８  側片
４９  下面（圧接状態保持部）
５０  上面（外面部）
５１  凹部（反転部分引き出し部）
５２  案内突起収容部
５３  電線押さえ部
５４  本係止突起
５５  係合部
５６  スライドレール
５７  天井板
５８  側片
５９  下面
６０  上面
６１  仮係止部
６２  電線収容溝
６３  本係止部
６４  凸部
６５  スライドガイド
【図１】
0003952444.tif 000002
【図２】
0003952444.tif 000003
【図３】
0003952444.tif 000004
【図４】
0003952444.tif 000005
【図５】
0003952444.tif 000006
【図６】
0003952444.tif 000007
【図７】
0003952444.tif 000008
【図８】
0003952444.tif 000009
【図９】
0003952444.tif 000010
【図１０】
0003952444.tif 000011
【図１１】
0003952444.tif 000012
【図１２】
0003952444.tif 000013
【図１３】
0003952444.tif 000014
【図１４】
0003952444.tif 000015
【図１５】
0003952444.tif 000016
【図１６】
0003952444.tif 000017
【図１７】
0003952444.tif 000018